(57)【要約】【課題】  スクリーン上の投影像の劣化や、ゴーストの発生のない小型で高性能な投写型画像表示装置を提供する。【解決手段】  複数のプリズムを接合して形成され、該プリズム内部に２種類の異なる波長域の色光を反射する２つのダイクロイック膜を備える色合成（分離）プリズムであって、該プリズム内部には、該プリズムの屈折率と異なる透明部分を備えない。【選択図】  図１
2005173006.tif 000002
【特許請求の範囲】
【請求項１】
複数のプリズムを接合して形成され、該プリズム内部に２種類の異なる波長域の色光を反射する２つのダイクロイック膜を備え、該プリズム内部には、該プリズムの屈折率と異なる透明部分を備えないことを特徴とする色合成光学素子。
【請求項２】
複数のプリズムを接合して形成され、該プリズム内部に２種類の異なる波長域の色光を反射する２つのダイクロイック膜を備え、該プリズム内部には、接着剤だまり部分を備えないことを特徴とする色合成光学素子。
【請求項３】
少なくとも３つのプリズムより構成される色合成光学素子であり、該３つのプリズムのうちひとつは全反射面と透過面が共通の面である面を備えるプリズムを最も射出側に有し、該プリズムの境界部分には２種類の異なる波長域の色光を反射する２つのダイクロイック膜を有し、該２つのダイクロイック膜はプリズム内部で交差せず、該少なくとも３つのプリズムは互いに接合されており、該プリズムの接合面の周辺部には、接着剤のはみ出し部分を備えないことを特徴とする色合成光学素子。
【請求項４】
少なくとも３つのプリズムより構成される色合成光学素子であり、該３つのプリズムのうちひとつは全反射面と透過面が共通の面である面を備えるプリズムを最も射出側に有し、該プリズムの境界部分には２種類の異なる波長域の色光を反射する２つのダイクロイック膜を有し、該２つのダイクロイック膜はプリズム内部で交差せず、該少なくとも３つのプリズムは互いに接合されており、該プリズムの接合面の周辺部には、遮光層を設けたことを特徴とする色合成光学素子。
【請求項５】
少なくとも３つのプリズムより構成される色合成光学素子であり、該３つのプリズムのうちひとつは全反射面と透過面が共通の面である面を備えるプリズムを最も射出側に有し、該プリズムの境界部分には２種類の異なる波長域の色光を反射する２つのダイクロイック膜を有し、該２つのダイクロイック膜はプリズム内部で交差せず、該少なくとも３つのプリズムは互いに接合されており、該最も射出側のプリズムの入射面のダイクロイック膜が形成されていない部分に溝が形成されており、該最も射出側のプリズムの最も鋭角な部分の射出面には、遮光層あるいは、遮光板が設けられていることを特徴とする色合成光学素子。
【請求項６】
少なくとも４つのプリズムより構成される色合成光学素子であり、該４つのプリズムのうちひとつは全反射面と透過面が共通の面である面を備えるプリズムを最も射出側に有し、２種類の異なる波長域の色光を反射する２つのダイクロイック膜を有し、該２つのダイクロイック膜はプリズム内部で交差せず、該少なくとも４つのプリズムは互いに接合されており、該２つのダイクロイック膜の間に配置されるプリズムは複数のプリズムより構成されており、該プリズムの接合面の周辺部には、接着剤のはみ出し部分を備えないことを特徴とする色合成光学素子。
【請求項７】
少なくとも４つのプリズムより構成される色合成光学素子であり、該４つのプリズムのうちひとつは全反射面と透過面が共通の面である面を備えるプリズムを最も射出側に有し、２種類の異なる波長域の色光を反射する２つのダイクロイック膜を有し、該２つのダイクロイック膜はプリズム内部で交差せず、該少なくとも４つのプリズムは互いに接合されており、該２つのダイクロイック膜の間に配置されるプリズムは複数のプリズムより構成されており、該プリズムの接合面の周辺部には、遮光層を設けたことを特徴とする色合成光学素子。
【請求項８】
少なくとも４つのプリズムより構成される色合成光学素子であり、該４つのプリズムのうちひとつは全反射面と透過面が共通の面である面を備えるプリズムを最も射出側に有し、２種類の異なる波長域の色光を反射する２つのダイクロイック膜を有し、該２つのダイクロイック膜はプリズム内部で交差せず、該２つのダイクロイック膜の間に配置されるプリズムは複数のプリズムより構成されており、該最も射出側のプリズムの入射面のダイクロイック膜が形成されていない部分に溝が形成され、該最も射出側のプリズムの最も鋭角な部分の射出面には、遮光層あるいは、遮光板が設けられていることを特徴とする色合成光学素子。
【請求項９】
光の射出側から順に、少なくとも光学的に平滑な面を３面備え、該面の中のひとつの面が透過面と全反射面を兼ねている第１プリズムと、少なくとも光学的に平滑な面を２面備えた第２プリズムと、少なくとも光学的に平滑な面を３面備えた第３プリズムと、少なくとも光学的に平滑な面を２面備えた第４プリズムとを備え、該第１，２，３、および４プリズムは接着剤で接合されており、該第１プリズムと該第２プリズムが向かい合う面のいずれかに第１の色光を反射するダイクロイック膜を備え、該第３プリズムと該第４プリズムが向かい合う面のいずれかに第２の色光を反射するダイクロイック膜を備え、該プリズムの接合面の周辺部には、接着剤のはみ出し部分を備えないことを特徴とする色合成光学素子。
【請求項１０】
光の射出側から順に、少なくとも光学的に平滑な面を３面備え、該面の中のひとつの面が透過面と全反射面を兼ねている第１プリズムと、少なくとも光学的に平滑な面を２面備えた第２プリズムと、少なくとも光学的に平滑な面を３面備えた第３プリズムと、少なくとも光学的に平滑な面を２面備えた第４プリズムとを備え、該第１，２，３、および４プリズムは接着剤で接合されており、該第１プリズムと該第２プリズムが向かい合う面のいずれかに第１の色光を反射するダイクロイック膜を備え、該第３プリズムと該第４プリズムが向かい合う面のいずれかに第２の色光を反射するダイクロイック膜を備え、該プリズムの接合面の周辺部には、遮光層を設けたことを特徴とする色合成光学素子。
【請求項１１】
光の射出側から順に、少なくとも光学的に平滑な面を３面備え、該面の中のひとつの面が透過面と全反射面を兼ねている第１プリズムと、少なくとも光学的に平滑な面を２面備えた第２プリズムと、少なくとも光学的に平滑な面を３面備えた第３プリズムと、少なくとも光学的に平滑な面を２面備えた第４プリズムとを備え、該第１，２，３、および４プリズムは接着剤で接合されており、該第１プリズムと該第２プリズムが向かい合う面のいずれかに第１の色光を反射するダイクロイック膜を備え、該第３プリズムと該第４プリズムが向かい合う面のいずれかに第２の色光を反射するダイクロイック膜を備え、該第１プリズムの該第２プリズムと接合されている面の接合部分以外の面に溝が形成され、該最も射出側のプリズムの最も鋭角な部分の射出面には、遮光層あるいは、遮光板が設けられていることを特徴とする色合成光学素子。
【請求項１２】
請求項１から１１の色合成光学素子を備えたことを特徴とする投写型画像表示装置。
【発明の詳細な説明】
【技術分野】
【０００１】
本発明は液晶プロジェクター等に用いられる色合成光学素子あるいはそれを用いた投写型画像表示装置に関するものである。
【背景技術】
【０００２】
従来、液晶プロジェクター用の色合成光学素子は、色合成方向の断面が直角三角形である４つの三角柱を接合して、その接合面に２種類の異なる波長帯域の光を反射するダイクロイック膜を備える、いわゆるクロスダイクロプリズムを用いられてきた。
【０００３】
このクロスダイクロプリズムは、２種類のダイクロイック膜がプリズム内部で交差しているため、接合するプリズムの角度精度や、接合方法が悪いと、ダイクロイック膜が折れ曲がったたり、段差が生じたりするため、スクリーン上に投影される像の画質が劣化するという問題点があった。このため、クロスダイクロプリズムは、接合する個々のプリズムの直角部分の角度精度を１０秒程度の非常に厳しい精度で研磨しなければならず、また、ダイクロイック膜の接合時の段差に関しても、０．０１ｍｍ以下の段差に抑え込む必要があり、製造コストが高いという欠点を有していた。
【０００４】
このような問題点を考慮して、従来、液晶プロジェクターの色合成光学光学系として、本出願人により、特許文献１、２、３に示すような出願がなされている。この特許文献で開示されている色合成系或いは色分離系は、図５および図６に示す４つの三角柱プリズム２，３，４，５を接合して構成され、２種類の反射波長域を有するダイクロイック層ＤＭ１，ＤＭ２をプリズム内部で交差させないダイクロプリズムが提案されている。
【特許文献１】特開平０９−３２５２９４号公報
【特許文献２】特開２００２−０５５２１０号公報
【特許文献３】特開２００２−０５５３０５号公報
【発明の開示】
【発明が解決しようとする課題】
【０００５】
しかしながら、上記従来例においては、プリズム２３，２４，２５の頂点が一致する部分のプリズム面取り部分２０およびプリズム２３，２４の他の頂点が一致する部分の面取り部分２１において、接着剤がはみ出してしまい、接着剤とプリズムの屈折率が異なる場合、この接着剤による楔部分がプリズム効果を有してしまい、不図示の紙面左側のスクリーン上に不要光が発生してしまうという問題があった。この図の場合、プリズムの屈折率を１．６２、接着剤の屈折率を１．５とすると、接着剤のはみ出し部分２０は、はみ出した接着剤が紙面下側に頂点を有する楔になるが、プリズムの屈折率より接着剤の屈折率のほうが低いため、液晶パネルなどで構成される画像変調手段７から発せられた光線１４は紙面下方向に屈折される。よって紙面左側の不図示のスクリーンにおいて、投影像の外側（紙面上側）に、不要光(ゴースト)が投影される。同様に、接着剤のはみ出し部分２１は、はみ出した接着剤が紙面上側に頂点を有する楔になるが、プリズムの屈折率より接着剤の屈折率のほうが低いため、画像変調手段７から発せられた光線１５は紙面上方向に屈折される。よって紙面左側の不図示のスクリーンにおいて、投影像の外側（紙面下側）に、不要光(ゴースト)が投影される。図５において、実線１２，１３はスクリーン上に投影される画像変調手段の正規の光線を示し、点線１４，１５は、不要光線（ゴースト）を示す。
【０００６】
仮に、プリズムの屈折率と、接着剤の屈折率が全く同一の場合、上記ゴーストは、発生しないが、ガラス材料と全く同一の接着剤を開発することは、困難である。
【０００７】
また、プリズムの屈折率より、接着剤の屈折率のほうが、高い場合は、スクリーン上の画像変調手段の画像が投影されているスクリーン上の画面の内側にゴーストが発生してしまい、投影画像が見づらくなる。
【０００８】
また、図６においては、プリズム２のダイクロイック層DM1において、不要光２６が反射され、プリズム２の射出面２Aで全反射され、投射レンズ１により、紙面左側の不図示のスクリーン上の、正規な光線１６，１７の範囲外に不要光線２６が投影されてしまうといった問題が生じていた。また、画像変調手段６の中心付近から発せられる不要光２８は、ダイクロイック膜２６で反射され、プリズム２の射出面２Aで全反射され、投射レンズ１により、紙面左側の不図示のスクリーン上の紙面上側にゴースト光として投影される。
【０００９】
本発明の目的は、上記のような、ゴースト光の発生がなく、製造の容易な色合成光学素子を実現することにある。
【課題を解決するための手段】
【００１０】
以上のような技術的課題を解決するために、
請求項１の色合成光学素子は、複数のプリズムを接合して形成され、該プリズム内部に２種類の異なる波長域の色光を反射する２つのダイクロイック膜を備え、該プリズム内部には、該プリズムの屈折率と異なる透明部分を備えないことを特徴としている。
【００１１】
請求項２の色合成光学素子は、複数のプリズムを接合して形成され、該プリズム内部に２種類の異なる波長域の色光を反射する２つのダイクロイック膜を備え、該プリズム内部には、接着剤だまり部分を備えないことを特徴としている。
【００１２】
請求項３の色合成光学素子は、少なくとも３つのプリズムより構成される色合成光学素子であり、該３つのプリズムのうちひとつは全反射面と透過面が共通の面である面を備えるプリズムを最も射出側に有し、該プリズムの境界部分には２種類の異なる波長域の色光を反射する２つのダイクロイック膜を有し、該２つのダイクロイック膜はプリズム内部で交差せず、該少なくとも３つのプリズムは互いに接合されており、該プリズムの接合面の周辺部には、接着剤のはみ出し部分を備えないことを特徴としている。
【００１３】
請求項４の色合成光学素子は、少なくとも３つのプリズムより構成される色合成光学素子であり、該３つのプリズムのうちひとつは全反射面と透過面が共通の面である面を備えるプリズムを最も射出側に有し、該プリズムの境界部分には２種類の異なる波長域の色光を反射する２つのダイクロイック膜を有し、該２つのダイクロイック膜はプリズム内部で交差せず、該少なくとも３つのプリズムは互いに接合されており、該プリズムの接合面の周辺部には、遮光層を設けたことを特徴としている。
【００１４】
請求項５の色合成光学素子は、少なくとも３つのプリズムより構成される色合成光学素子であり、該３つのプリズムのうちひとつは全反射面と透過面が共通の面である面を備えるプリズムを最も射出側に有し、該プリズムの境界部分には２種類の異なる波長域の色光を反射する２つのダイクロイック膜を有し、該２つのダイクロイック膜はプリズム内部で交差せず、該少なくとも３つのプリズムは互いに接合されており、該最も射出側のプリズムの入射面のダイクロイック膜が形成されていない部分に溝が形成されており、該最も射出側のプリズムの最も鋭角な部分の射出面には、遮光層あるいは、遮光板が設けられていることを特徴している。
【００１５】
請求項６の色合成光学素子は、少なくとも４つのプリズムより構成される色合成光学素子であり、該４つのプリズムのうちひとつは全反射面と透過面が共通の面である面を備えるプリズムを最も射出側に有し、２種類の異なる波長域の色光を反射する２つのダイクロイック膜を有し、該２つのダイクロイック膜はプリズム内部で交差せず、該少なくとも４つのプリズムは互いに接合されており、該２つのダイクロイック膜の間に配置されるプリズムは複数のプリズムより構成されており、該プリズムの接合面の周辺部には、接着剤のはみ出し部分を備えないことを特徴としている。
【００１６】
請求項７の色合成光学素子は、少なくとも４つのプリズムより構成される色合成光学素子であり、該４つのプリズムのうちひとつは全反射面と透過面が共通の面である面を備えるプリズムを最も射出側に有し、２種類の異なる波長域の色光を反射する２つのダイクロイック膜を有し、該２つのダイクロイック膜はプリズム内部で交差せず、該少なくとも４つのプリズムは互いに接合されており、該２つのダイクロイック膜の間に配置されるプリズムは複数のプリズムより構成されており、該プリズムの接合面の周辺部には、遮光層を設けたことを特徴としている。
【００１７】
請求項８の色合成光学素子は、少なくとも４つのプリズムより構成される色合成光学素子であり、該４つのプリズムのうちひとつは全反射面と透過面が共通の面である面を備えるプリズムを最も射出側に有し、２種類の異なる波長域の色光を反射する２つのダイクロイック膜を有し、該２つのダイクロイック膜はプリズム内部で交差せず、該２つのダイクロイック膜の間に配置されるプリズムは複数のプリズムより構成されており、該最も射出側のプリズムの入射面のダイクロイック膜が形成されていない部分に溝が形成され、該最も射出側のプリズムの最も鋭角な部分の射出面には、遮光層あるいは、遮光板が設けられていることを特徴としている。
【００１８】
請求項９の色合成光学素子は、光の射出側から順に、少なくとも光学的に平滑な面を３面備え、該面の中のひとつの面が透過面と全反射面を兼ねている第１プリズムと、少なくとも光学的に平滑な面を２面備えた第２プリズムと、少なくとも光学的に平滑な面を３面備えた第３プリズムと、少なくとも光学的に平滑な面を２面備えた第４プリズムとを備え、該第１，２，３、および４プリズムは接着剤で接合されており、該第１プリズムと該第２プリズムが向かい合う面のいずれかに第１の色光を反射するダイクロイック膜を備え、該第３プリズムと該第４プリズムが向かい合う面のいずれかに第２の色光を反射するダイクロイック膜を備え、該プリズムの接合面の周辺部には、接着剤のはみ出し部分を備えないことを特徴としている。
【００１９】
請求項１０の色合成光学素子は、光の射出側から順に、少なくとも光学的に平滑な面を３面備え、該面の中のひとつの面が透過面と全反射面を兼ねている第１プリズムと、少なくとも光学的に平滑な面を２面備えた第２プリズムと、少なくとも光学的に平滑な面を３面備えた第３プリズムと、少なくとも光学的に平滑な面を２面備えた第４プリズムとを備え、該第１，２，３、および４プリズムは接着剤で接合されており、該第１プリズムと該第２プリズムが向かい合う面のいずれかに第１の色光を反射するダイクロイック膜を備え、該第３プリズムと該第４プリズムが向かい合う面のいずれかに第２の色光を反射するダイクロイック膜を備え、該プリズムの接合面の周辺部には、遮光層を設けたことを特徴としている。
【００２０】
請求項１１の色合成光学素子は、光の射出側から順に、少なくとも光学的に平滑な面を３面備え、該面の中のひとつの面が透過面と全反射面を兼ねている第１プリズムと、少なくとも光学的に平滑な面を２面備えた第２プリズムと、少なくとも光学的に平滑な面を３面備えた第３プリズムと、少なくとも光学的に平滑な面を２面備えた第４プリズムとを備え、該第１，２，３、および４プリズムは接着剤で接合されており、該第１プリズムと該第２プリズムが向かい合う面のいずれかに第１の色光を反射するダイクロイック膜を備え、該第３プリズムと該第４プリズムが向かい合う面のいずれかに第２の色光を反射するダイクロイック膜を備え、該第１プリズムの該第２プリズムと接合されている面の接合部分以外の面に溝が形成され、該最も射出側のプリズムの最も鋭角な部分の射出面には、遮光層あるいは、遮光板が設けられていることを特徴している。
【００２１】
ここで、「色合成光学素子」と言う言葉を使っているが、本発明の「色合成光学素子」は「色合成プリズム」「色分解光学素子（プリズム）」、「色分離光学素子（プリズム）」などと称しても構わない。
【００２２】
請求項１２の色合成光学素子は、請求項１から１１の色合成光学素子を備えたことを特徴とする投写型画像表示装置。
【発明を実施するための最良の形態】
【００２３】
以下において、各実施例を図面を用いて詳細に説明する。
【実施例１】
【００２４】
図１および図２は本発明第１の色合成光学素子を使用した色合成投射光学系の断面図を示す。
【００２５】
図１において、画像表示装置６，７，８から発せられた光は、４つの三角柱プリズム２，３，４，５を接合して構成され、２種類の異なる波長帯域の光を反射する２つのダイクロイック層DM1,DM2をプリズム内部に交差しないよう設けた色合成光学素子により色合成され投射レンズ１により、紙面右側の不図示のスクリーン上に拡大投影される。図１において、光線１２，１３は、画像変調手段７からスクリーンに投影される、正規な光路の最周辺の光線を示す。点線１４，１５は、画像表示装置７から発せられる、正規な光路より外側に発せられる光線を示す。このような光線は、画像変調手段が、液晶などの周期的な画素配列の集合体である場合に、回折によって生じるものである。
【００２６】
この実施例においては、プリズム３，４，５の頂点が重なりあう部分１０の面取り部分の接着剤のはみ出し部分をプリズム接合後に削り取り、接着剤のはみ出し部分が存在しなくなるようにしている。また、同様に、プリズム３，４の接合部の他端の部分１１の面取り部分の接着剤のはみ出し部分が存在しなくなるよう接着剤を削り取っている。
【００２７】
このように構成することにより、従来例の図５，６で示したプリズムの接合部分の面取り部分にはみ出す接着剤の楔部分を無くすことができ、画像変調手段７から発せられる不要光線１４，１５を接着剤を削り取った部分１０，１１で遮断することができるため、紙面左側の不図示のスクリーン上のゴースト光の発生を抑えることができる。
【００２８】
図２においては、プリズム２とプリズム３の間に形成されるダイクロイック膜DM1によって発生するゴースト光２６を溝９によって遮断することができ、紙面左側の不図示のスクリーン上のゴースト光の発生をなくすことができる。
【００２９】
また、プリズム２の射出面２Aの紙面下部に設けられた遮光層２７により、画像変調手段６から発せられる不要光２８を遮断することができ、不図示のスクリーン上のゴースト光の発生を抑えることができる。
【実施例２】
【００３０】
図３および図４は、本発明第２の色合成光学素子の実施例を使用した色合成投射光学系の断面図を示す。
【００３１】
図３においては、プリズム２とプリズム３の間の接合部の紙面上部に遮光層１８を設け、プリズム３とプリズム４の間の接合部の紙面下部に遮光層１９を設けることにより、ゴースト光の原因となる光線１４，１５を遮断でき、ゴースト光の発生をなくすことができることを示している。図１に示した第１実施例のプリズムの接合部分の周辺部の面取り部分を削り取るかわりにプリズム面に遮光層を形成している。この遮光層は、たとえば、黒色塗料を接合するプリズム面の周辺部に塗布あるいは、印刷してもよい。
【００３２】
図４においては、図２に示したように、プリズム２の溝９によりゴースト光の発生原因となる光線２６を遮断することにより、ゴースト光の発生を抑えていることを示している。
【００３３】
また、プリズム２の射出面２Aの紙面下部に設けられた遮光層２７により、画像変調手段６から発せられる不要光２８を遮断することができ、不図示のスクリーン上のゴースト光の発生を抑えることができる。
【実施例３】
【００３４】
この実施例３は、本発明の第１実施例の色合成光学素子を用いた、第3の実施例の投写型画像表示装置の実施例である。
光源２９から発せられた白色光は、放物面鏡３０よりほぼ平行な光束に変換される。この放物面鏡から出射した光は、複数の矩形のレンズアレイより構成される第１フライアイレンズ３１により複数の矩形のレンズアレイより構成される第２フライアイ３２の各コマのほぼ中心部に光源像を形成する。この第２フライアイ３２を出射した光は、偏光変換素子３３により所定の偏光成分（直線偏光成分）のみに揃えられ、このように直線偏光となった光束は、第１正レンズ３４により画像変調手段（液晶パネル、ＤＭＤ等の画像表示素子）上６（赤用），７（緑用），８（青用）に重ね合わされる。青反射ダイクロミラー３６により反射された青色光は高反射ミラー３７、第２正レンズ４３を介して、青色用画像変調手段８の表示部に集光される。青反射ダイクロミラー３６を透過した緑および赤色の光成分のなかの緑色成分は、緑色を反射するダイクロミラー３８により反射され、第３正レンズ４４を介して、緑色用画像変調手段７の表示部に集光される。ダイクロミラー３８を透過した赤色成分の光は、第４正レンズ３９、高反射ミラー４０、第５正レンズ４１、高反射ミラー４２、第６正レンズ４５を介して、赤色用画像変調手段６の表示部に集光される。第４正レンズ３９と第５正レンズ４１は、赤色チャンネルのみ他の色チャンネルより光路が長いため、ほぼ等倍結像するリレーレンズの役目を果たしている。
【００３５】
各色の画像変調手段６，７，８で変調された光は、第１プリズム２、第２プリズム３、第３プリズム４、第４プリズム５より構成される色合成プリズムにより色合成され、投射レンズ（ミラーを含んでいても構わない）１により、不図示のスクリーンにカラー画像として投影される。
【００３６】
ここで、本実施例に用いた色合成光学素子は、色分解を目的とする色分解光学素子にも適用可能である。すなわち、色合成光学素子は、複数の色光を略同一の光路に合成するため、及び白色光を複数の色光に分離するために用いるための光学素子であるため、色分解も合成も両方共に可能である。従って、本実施例においては、「色合成光学素子」と称したが、「色分離光学素子」、「色分解光学素子」、「色分離合成素子」などと称しても構わない。
【００３７】
本実施例の色合成光学素子を用いると、プリズム内部においてダイクロイック膜が交差しないので、従来のクロスダイクロプリズムに対し、プリズムの製造およびプリズムの接合が容易となり、製造コストの安い色合成光学素子が実現できる。また、プリズム内部の接着剤だまりを削り取り、プリズムの適切な位置に溝を設けることにより、ゴーストの発生を抑えることが可能となった。これにより、製造コストが安く、かつスクリーン上の投影像の劣化や、ゴーストの発生のない小型で高性能な投写型画像表示装置が実現できた。
【図面の簡単な説明】
【００３８】
【図１】本発明第１実施例の色合成光学素子を使用した、色合成投射光学系の断面図を示す。
【図２】本発明第１実施例の色合成光学素子を使用した、色合成投射光学系の断面図を示す。
【図３】本発明第２実施例の色合成光学素子を使用した、色合成投射光学系の断面図を示す。
【図４】本発明第２実施例の色合成光学素子を使用した、色合成投射光学系の断面図を示す。
【図５】従来例の色合成光学素子を使用した、色合成投射光学系の断面図を示す。
【図６】従来例の色合成光学素子を使用した、色合成投射光学系の断面図を示す。
【符号の説明】
【００３９】
１  投射レンズ
２  第１プリズム
３  第２プリズム
４  第３プリズム
５  第４プリズム
６，７，８  画像変調手段
９，１０，１１  遮光溝
１２，１３，１６，１７  正規光線
１４，１５，２６  不要光線
１８，１９，２７  遮光層
DM1，DM2  ダイクロイック膜
２９  光源
３０  放物面鏡
３１  第１フライアイレンズ
３２  第２フライアイレンズ
３３  偏光変換素子
３４  第１正レンズ
３５，３７，４０，４２  高反射ミラー
３６  青反射ダイクロミラー
３８  緑色光を反射するダイクロミラー
３９  第４正レンズ
４１  第５正レンズ
４３  第２正レンズ
４４  第３正レンズ
４５  第６正レンズ
【図１】
2005173006.tif 000003
【図２】
2005173006.tif 000004
【図３】
2005173006.tif 000005
【図４】
2005173006.tif 000006
【図５】
2005173006.tif 000007
【図６】
2005173006.tif 000008